Podtech/llm-jp-corpus-v4-ja_patent huggingface dataset:
(57)【要約】【課題】  収穫ホ−スの果実の出口を持ち上げ弛み部に果実を一定量溜て籠に移す様にする。【解決手段】  本発明は、果実を収穫時に収穫袋１の底をマジックテ−プ等で開閉自在にし、その底を開かせて、収穫ホ−ス２の入口がマジックテ−プ等６で連結出来るようにした。他方収穫ホ−ス２の出口を収穫時肩掛バンド３で上げ弛み５を形成せしめて、弛み部５に果実を一時溜めて収穫作業を続ける、ある程度溜まると肩掛バンド３から外して籠に移せるようにした。【選択図】    「図１」
2005253444.tif 000002
【特許請求の範囲】
【請求項１】
滑らかな生地の収穫袋１の底をマジックテ−プ等６で開閉自在にして、又収穫ホ−ス２をマジックテ−プ等６で連結自在にした収穫袋１。
【請求項２】
収穫ホ−ス２の果実出口４を収穫時は弛み部５より上げ、果実がこぼれ出ないように肩掛バンド３に取り外し自在に掛けるようにして、適度に弛み部５に果実が溜まると肩掛バンド３から外し籠に移す様にした収穫ホ−ス２。
【発明の詳細な説明】
【技術分野】
【００１】  本発明は、果実を収穫時に収穫袋１の底をマジックテ−プ等６で開閉自在にして、その底が開き時に、収穫ホ−ス口がマジックテ−プ等６で連結出来るようにした。他方収穫ホ−ス２の果実出口４を収穫時肩掛バンド３で弛み部５を形成せしめる様に上げ、果実が弛み部５に溜めて収穫作業する、ある程度溜まると肩掛バンド３から外して籠に移せるようにした。
果樹、栗等の刺などで作業効率を妨げるため、生地を滑らかな仕様として収穫袋１とした、収穫ホ−ス２も同様にした。
【背景技術】
【００２】  従来、手籠又は手持ち網等で受けて、蔕の軸をハサミ等で切断して収穫していた、手待ち網の網を長くして、その底が開いて籠に投下収穫する装置は提案されているが、籠と共に移動収穫作業して安全と作業効率に問題ある。【００３】
【特許文献】  実用新案公開平５−９１２４８  特許公開平８−３２２３６４
【発明の開示】
【００４】  収穫ホ−ス２の果実出口４を持ち上げ弛み部５に果実を一定量溜て籠に移す様にした。
【発明が解決しようとする課題】
【００５】  籠を持ち歩かずに、熟した果実を求め自由に移動し収穫作業が出来る装置を開発する。
【課題を解決するための手段】
【００６】  収穫袋１と収穫ホ−ス２をマジックテ−プ等６又は、ボタン掛式等で脱着自在にして、大粒の果実や桃、イチジク等の表皮の軟らかい果実は、収穫袋１の底を閉じてマジックテ−プ等６から収穫ホ−ス２等を外し個々に収穫し果実の落下傷をなくす。
中小の果実は収穫袋１と収穫ホ−ス２を連結して、収穫ホ−ス２を弛ませて他方の果実出口４が弛み部５より上に成る様に掛けはすし自在の止め金８で肩掛バンド３に掛けて収穫作業をする。
弛み部５に果実が溜まる様に創設した、弛み部５に作業に支障を来す量、溜まると肩掛けバンド３から止め金８で外して、図示せずの籠に収穫ホ−ス２の果実出口４から放出する装置にした。
【発明の効果】
【００７】  桃、イチジク等の表皮が傷みやすい果実は収穫ホ−ス２を外して、収穫袋１の底を閉じ個々に収穫作業をする。
みかん、梅、柿等の中小の果実は収穫袋１と収穫ホ−ス２をマジックテ−プ等６で連結し、果実出口４を肩掛けバンド３に掛けて、連続の収穫作業で自由な行動範囲の収穫作業が出来る。
【発明を実施するための最良の形態】
【００８】  本発明は、収穫ホ−ス２の果実の果実出口４を弛み部５より上にし肩掛バンド３に掛け、その弛み部５に一時果実を溜て、支障を来さなす収穫量に成れば収穫籠に移し、果実を移し終えると果実の出口４を肩掛バンド３に掛けて自由な作業範囲に行動できる装置にした。
又、収穫袋１と収穫ホ−ス２を脱着自在にし、大粒の果実、あるいは傷つき易い果実は収穫袋１のみで個々に収穫できる装置にした。
【実施例】
【００９】  本発明者の特願２００２−２８００５８又は、特願２００３−４３６７０９の収穫袋、本発明では収穫袋１の底をマジックテ−プ等６で開閉自在にし、収穫ホ−ス２の果実入口にマジックテ−プ等６の雄と雌で収穫袋１と接合連結させ、収穫棒に沿って収穫ホ−ス２をホ−ス支え７で止め手元に垂らし手元に弛み部５を持たせて、果実出口４を弛み部５より上に成るように肩掛バンド３に掛け果実が零れ出ない様にし、特願２００２−２８００５８又は、特願２００３−４３６７０９を作動せしめ果実を収穫袋１で収穫し収穫ホ−ス２に落下し弛み部５で止る、その作業を繰り返し作業行動に支障を来さない程度に弛み部５に果実を溜て収穫作業を続け、収穫作業などに支障きたす量になれば、肩掛バンド３から果実出口４を止め金８で外し果実を籠に移す、果実出口４を肩掛バンド３に掛けて収穫位置に移動して収穫作業する。
桃、イチジク等の表皮の傷つきやすい果実は、収穫ホ−ス２をホ−ス支え７肩掛バンド３等をマジックテ−プ等６から外して、収穫袋１の底を閉じて個々に収穫作業も出来る。
【産業上の利用可能性】
【０１０】
【図面の簡単な説明】
【０１１】
【図１】    「収穫作業員図示せずの果実収穫体制の収穫袋１、収穫ホ−ス２、収穫棒９，肩掛バンド３等の側面図」
【図２】    「収穫作業員図示せずの果実を個々に収穫袋１、収穫棒９等の側面図」
【符号の説明】
【０１２】  １  収穫袋
２  収穫ホ−ス
３  肩掛バンド
４  果実出口
５  弛み部
６  マジックテ−プ等
７  ホ−ス支え
８  止め金
９  収穫棒
【図１】
2005253444.tif 000003
【図２】
2005253444.tif 000004
(57)【要約】【課題】現行のパッチワークの台は、取り外しはできるが角度の調整等ができずに、細かい作業が長時間にわたってはできにくい点が、課題であった。もちろん架台の移動も容易にできず、収納に関しても大変な労力を使っていた。【解決手段】支持台4にキャスター11を付けて移動を容易にし、フープ取り付け架台14に角度調整と回転の動作を与えることで、長時間の細かい作業が容易にできるようになった。支柱3,6にバネ9を利用してストッパー兼支持金物7,8を自在に固定できるようにしたことで、不特定多数の人たちにも容易に高さの調整と角度の調整ができるようになった。このように、この発明の利点は自由自在に高さと角度の調整ができ、また移動ができることによって収納の方法も簡単になった。【選択図】図2
2005253486.tif 000002
【特許請求の範囲】
【請求項１】
パッチワークをもっと楽にできるように、フープ台を傾斜させたり回転させたり取り外すことができるようにしたフープ用架台
【請求項２】
同上の台を簡単にコンパクトに収納できるようにしたフープ用架台
【請求項３】
下部にキャスターを付けて簡単に移動できるようにしたフープ用架台
【発明の詳細な説明】
【技術分野】
【０００１】
本発明は、固定されてるフープ台を取り外したり回転させたり傾斜させたりできるようにしてパッチワークをもっと簡単にできるようにするために、支        持台の底面にキャスターを付けて、移動が簡単にでき、支持台の上部の支柱を固定してさらに上部の支持台をストッパー付の支持金物で  高さと傾斜の調整と折り畳みができるようになっている。また既製品のフープをフープ取り付け用架台に付けて、フープ用架台を簡単に取り付けた
り取り外したり回転もできるようにしたものである。
【背景技術】
【０００２】
従来、パッチワークは、架台に固定されているフープを取り外してパッチワークを膝の上などで作業していた。この方法だとフープを持っていなくてはならず余計な労力を強いられてしまう。また細かい作業は精神的に疲れてしまうため、長時間の作業は大変である。  
【発明の開示】
【発明が解決しようとする課題】
【０００３】
解決しようとする問題点は、現在のパッチワークはフープの固定と取り外しができ細かい作業等は精神的に疲れて長時間のパッチワークができない点である。
【課題を解決するための手段】
【０００４】
本発明は、パッチワークをするための架台を簡単に移動したり、フープの回転、角度の調整、脱着、架台もコンパクトに収納できる。
【発明の効果】
【０００５】
本発明のフープ用の架台は、このように細かい長時間の作業とか、方向を転換して手の届きにくいところまで簡単に作業ができるようにしたものある。
【発明を実施するための最良の形態】
【０００６】
本発明は、パッチワークをするときにフープ用の架台を自由に傾斜させたり回転させたり取り外したり移動したりコンパクトに収納できたりと自由自在に思ったままに使用できることである。それを図面について説明すれば支持台4の下部にストッパー付のキャスター11を設けて移動が自由にできるようにし、支持台4上部の支柱3,11にストッパー兼支持金物7,8を設けて傾斜の調整ができる。またフープ1を取り付けてあるフープ取り付け架台14は、取り付け取り外し用ボルト10によって脱着が容易にできるようになっている。もちろんフープ取り付け架台14の回転も自在である。
【図面の簡単な説明】
【０００７】
【図１】フープ取り付け用架台の平面図である。
【図２】フープ取り付け用架台を横から見た立面図である。
【図３】フープ取り付け用架台の動きを表した図面である。
【符号の説明】
【０００８】
１    フープ（既製品）
２    固定用ボルト
３    支柱  1
４    支持台
５    回転用金具    
6          
支柱  2
7          
ストッパー兼支持金物（下部）
8          
ストッパー兼支持金物（上部）
9          
バネ
10       取り付け取り外し用ボルト
11       キャスター
12       ストッパー穴
13       ストッパー溝
14       フープ取り付け架台
【図１】
2005253486.tif 000003
【図２】
2005253486.tif 000004
【図３】
2005253486.tif 000005
(57)【要約】【課題】平面の通常の櫛では、薄毛の人の頭髪をスムースに整髪することが出来ない【解決手段】櫛の形を頭の形に似た角度のアーチ型の曲面にすることにより髪の毛の厚みのない薄毛の人の頭髪も１度に櫛の全長全体で髪の毛を梳かすことが可能になり思うような整髪が出来る。普通の髪の人の場合もアーチ型の形状の櫛のためより幅広い範囲を梳かすことが出来思うような整髪が出来る。右利きの人と左利きの人の為に歯の位置を櫛の上面から見て右側につける櫛と左側につける櫛を用意する。【選択図】図１
2005253484.tif 000002
【特許請求の範囲】
【請求項１】
髪の毛、特に薄毛の人の整髪をスムースに行うアーチ型曲面櫛です。髪の毛が少なくなると通常の平面の櫛では櫛の一部分でしか頭髪を梳かすことが出来ませんので、なかなか頭髪を櫛の幅全体で髪の毛をバランスよく思うような髪型に整髪することが困難になります。その問題を解決するアーチ型曲面櫛です。櫛を頭の形と同じアーチ状の曲面に曲げることにより厚みの少ない薄毛の髪の毛でも、櫛の幅全体で薄い髪の毛を配分良く梳かすことが出来思い通りの整髪が出来るようになります。頭の形のように曲げたアーチ型曲面櫛を特許請求いたします。
【発明の詳細な説明】
【技術分野】
【０００１】
本発明は、櫛の形状を頭の形に曲げアーチ状にした、薄毛の人また普通の頭髪の人にも整髪のし易いアーチ型曲面櫛です。
【背景技術】
【０００２】
櫛を頭の形状に曲げてアーチ型曲面にすることにより一度に頭髪を櫛の幅だけ均等に梳かし思うように整髪することが出来る。
【発明の開示】
【発明が解決しようとする課題】
【０００３】
解決しようとする問題点は、通常の平面の形状の櫛では薄毛の人の頭髪を梳かした場合、櫛の全長の内、その一部の歯でしか頭髪を梳かすことが出来ず、整髪が思うようには出来ない。
【課題を解決するための手段】
【０００４】
本発明は、この解決策として櫛を頭の形と同様なアーチ型曲面の形にすることにより、櫛の全長全体で髪の毛を梳かすことが出来、特に薄毛の髪の厚みの少ない人の頭髪の整髪が簡単に出来る。頭髪の多い、厚い髪の人においても整髪が一回の梳かしで幅広く出来るので思うように短時間で整髪することが出来る
【発明の効果】
【０００５】
本発明の櫛を使えば、薄毛の人でも櫛が頭の形に似たアーチ型の曲面になっているため、櫛の全長全体で頭髪を梳かすことが出来、髪の毛がバランス良く梳かされる為、思うような整髪が出来る。頭髪の多い、厚い髪の人においても整髪が一回の梳かしで幅広く出来るので思うように短時間で整髪することが出来る。特にオールバックの髪型には最適である。
【発明を実施するための最良の形態】
【０００６】
頭髪を櫛の全長全体で梳かすことが出来る様に櫛の形を頭の形と似た角度のアーチ型の曲面にする。アーチ型の曲面の角度は、人の頭の形及び希望する髪型がそれぞれ違うためいろいろの角度の櫛を製作し使用する人が自分に合ったアーチ形状の櫛が選択出来るようにする。又右利きと左利きの人がいるので歯の取り付け位置を逆にした櫛を製作する。右利き用の櫛を右利きの人が右手で持って立てた場合、アーチは外側に膨らみ、櫛の歯は手前を向くようになり、頭の右側の頭髪はそのままの状態で前から後ろに整髪が出来る。左側の頭髪は右手を頭の上から左側に回して前から後ろに整髪をすれば、整髪が出来る。左利き用の櫛を左利きの人が左手で持って立てた場合、アーチはやはり外側に膨らみ、櫛の歯は手前を向くようになる。頭の左側の頭髪はそのままの状態で前から後ろに整髪が出来る。右側の頭髪は左手を頭の上から右側に回して前から後ろに整髪をすれば、整髪が出来る。
【実施例１】
【０００７】
図１は、本発明アーチ型曲面櫛の実施例の  1は上面・  2は正面・  3は側面図である。櫛の歯は右利き用と左利き用では上面より見て反対側に歯が付くことになる。アーチの角度は頭の形に合わせていろいろな角度の櫛が用意される。
【図面の簡単な説明】
【０００８】
【図１】実施例1のアーチ型曲面櫛の3面図(1は上面・  2は正面・  3は側面図)である。
【図１】
2005253484.tif 000003
(57)【要約】【課題】  本発明は、ループ状絨緞を手織り緞通の感覚で、かつ通気性、風合いに優れ、且つ其のループ状の毛足がへたることの少ない耐久性の優れたものを提供しようとするものである。【解決手段】  並列する裏経糸の複数本にパイル糸を順に巻きつけてループを形成するとともにループの根元を交差させ、裏経糸と表経糸を閉じ緯糸を入れ、裏経糸と表経糸に絡み糸を絡んだループ状絨緞を主構造とし、さらにループに芯材を挿通したループ状絨緞である。【選択図】  図１
2005253488.tif 000002
【特許請求の範囲】
【請求項１】
並列する裏経糸の複数本にパイル糸を順に巻きつけてループを形成するとともにループの根元を交差させ、裏経糸と表経糸を閉じ緯糸を入れ、裏経糸と表経糸に絡み糸を絡んでなるループ状絨緞。
【請求項２】
ループに芯材を挿通してなる請求項１記載のループ状絨緞。
【発明の詳細な説明】
【技術分野】
【０００１】
本発明は手織り緞通感覚のループ状絨緞に関する。
【背景技術】
【０００２】
従来機械織りのループ状カーペットとしては、基布等にパイル糸を刺繍状にしてループをつくり、基布の裏側に接着剤を塗布し固めているのが一般的である。
【０００３】
然しながらこのループ状カーペットにあっては通気性が悪く、又風合いに欠ける等の欠点がある。
【発明の開示】
【発明が解決しようとする課題】
【０００４】
そこで本発明は、ループ状絨緞を手織り緞通の感覚で、かつ通気性、風合いに優れ、且つ其のループ状の毛足がへたることの少ない耐久性の優れたものを提供しようとするものである。
【課題を解決するための手段】
【０００５】
並列する裏経糸の複数本にパイル糸を順に巻きつけてループを形成するとともにループの根元を交差させ、裏経糸と表経糸を閉じ緯糸を入れ、裏経糸と表経糸に絡み糸を絡んでなるループ状絨緞を主構造とし、更にこのループに芯材を挿通してへたりの少ないループ状毛足の絨緞としたものである。
【発明の効果】
【０００６】
本発明の効果として、手織り緞通の感覚を有し、通気性、風合いに優れ、其のループ状の毛足がへたることの少ない耐久性の優れたものとなる。
【０００７】
又ループの根元部分のパイル糸が交差しており、且つ緯糸により締め付けてあるのでループの先端を外側に引っ張っても毛足が抜けたり、ループが緩んだりすることがない。
【実施例】
【０００８】
本発明を図示の実施例により詳記すると、表経糸２と裏経糸１のうち、複数本の裏経糸１にパイル糸３を順に巻きつけてループ４を形成するが、其の具体的手段は、開いた裏経糸１の内側にパイル糸３を直角方向に繰り出し自在に張設し、この張設したパイル糸３に略並行して裏経糸１の外側に設け一方の経糸側から他方の経糸側に移動自在なループバー１０を設け、このループバー１０を隣接する裏経糸１に移動する毎に一回転させ、裏経糸１，１間のパイル糸３をループバー１０の先端側部に設けたフック１１により引っ掛けながらループバー１０に螺旋状に巻きつけるようにする。
【０００９】
ループバー１０は固定させておいて、図２に示すようにパイル糸３の先端に引っ掛け針９を設けて、手動により順に裏経糸１とループバー１０を抱き込むように巻きつけていくようにしてもよい。この場合のループバー１０の断面形状は丸棒型、多角形棒等任意である
【００１０】
その後裏経糸１と表経糸２を閉じ、緯糸５を入れ（緯入れ。）て締め付け、裏経糸１と表経糸２に絡み糸６を絡むようにするが、パイル糸３によって形成されたループ４の根元部は交差８されて締め付けられ、ループ３が不用意に緩んだり抜けたりする恐れがない。尚ループバー１０の引き抜き作業は、緯入れ、締め付け後にフック１１等は外して行い、その後絡み糸による絡み作業をするとよい。
【００１１】
又ループバー１０を引き抜くに際し、ループバー１０の先端に芯材７を取り付けておけばループ４内に芯材７が挿通される。尚芯材７の太さはループの大きさに合わせて選ぶことができ、かつ脱臭性能、抗菌効果の持ったものを使用して絨緞全体の付加価値をあげることができ、材質としてはパイル糸のような糸状繊維は勿論のこと軟質樹脂紐、ゴム紐、金属線、ヒータ線或いはこれらの混合したものなど任意のものでよく、絨緞の使用目的等により変えることができ、ヒータ線とした場合は暖房を兼ねた絨緞とすることもできる。
【図面の簡単な説明】
【００１２】
【図１】本発明に係わるループ絨緞の断面説明図である。
【図２】パイル糸の巻きつけ手段を示した説明図である。
【符号の説明】
【００１３】
１：裏経糸
２：表経糸
３：パイル糸
４：ループ
５：緯糸
６：絡み糸
７：芯材
８：交差
９：引っ掛け針
１０：ループバー
１１：フック
【図１】
2005253488.tif 000003
【図２】
2005253488.tif 000004